(57)【要約】      （修正有）【課題】緊締力の異なる略Ｙ字の生地をフロントとバックに配することにより、胸部中央の密着感を良くしてバストの揺れを抑え、背筋を強く意識させて姿勢を正しく保たせることができるハーフトップを提供する。【解決手段】着用者の胸部を被覆する前身頃１と、該前身頃から脇下に連続する脇部２と、該脇部より背後に連続する後身頃３と、それらの下部に設けられたアンダーベルト４と、着用者の肩に配置される一対の肩紐５とを備えてハーフトップとする。また、前身頃の表側には肩紐からアンダーベルトにかけて略Ｙ字に形成されたフロント布部６を設け、後身頃の裏側には肩紐からアンダーベルトにかけて略Ｙ字に形成されたバック布部７を設け、該フロント布部およびバック布部は前身頃および後身頃に対して緊締力が大きく、且つ、伸長性が低いことを特徴とする。【選択図】図３
0003175705.tif 000002
【実用新案登録請求の範囲】
【請求項１】
着用者の胸部を被覆する前身頃と、該前身頃から脇下に連続する脇部と、該脇部より背後に連続する後身頃と、それらの下部に設けられたアンダーベルトと、着用者の肩に配置される一対の肩紐とを備えたハーフトップであって、前身頃の表側には肩紐からアンダーベルトにかけて略Ｙ字に形成されたフロント布部が設けられ、後身頃の裏側には肩紐からアンダーベルトにかけて略Ｙ字に形成されたバック布部が設けられ、該フロント布部およびバック布部は前身頃および後身頃に対して緊締力が大きく、且つ、伸長性が低いことを特徴とするハーフトップ。
【請求項２】
前記フロント布部はその上辺が前身頃上辺と縫着されるとともに、その横辺は前身頃とは縫着されず、バック布部はその上辺の一部に後身頃の上辺が縫着されるとともに、その横辺は後身頃とは縫着されないことを特徴とする請求項１に記載のハーフトップ。
【請求項３】
前記フロント布部の丈が前記前身頃の中心部の丈よりも短く形成されていることを特徴とする請求項１または２のいずれかにに記載のハーフトップ。
【請求項４】
前記フロント布部および前記バック布部は、同一または異なる生地を２枚重ねに形成していることを特徴とする請求項１ないし３のいずれか１項に記載のハーフトップ。
【請求項５】
前記バック布部は、同一または異なる生地をボンディング加工により２枚重ねに形成していることを特徴とする請求項１ないし４のいずれか１項に記載のハーフトップ。
【請求項６】
前記後身頃は、背中中心を被覆する略凸状に形成され、前記バック布部との重複部分において、生地が３重になることを特徴とする請求項１ないし５のいずれか１項に記載のハーフトップ。
【考案の詳細な説明】
【技術分野】
【０００１】
本考案は、女性用の下着もしくはスポーツウェアであるハーフトップに関するものである。
【背景技術】
【０００２】
従来、女性が着用する下着において、姿勢を矯正する機能を有するトップ下着が知られており、その一例として、特許文献１では、バスト周囲に位置する大胸筋を鍛えることによりバストアップ効果を発揮すると共に、背筋を曲げにくく固定させ、正しいフォームを保たせることができるトップ下着が開示されている。また、特許文献２では、ウォーキングなど身体の動きに関連して生ずるバストの動きを押えると共に、着用者の姿勢を正しく保てることを目的とした成形衣料が開示されている。
【０００３】
しかしながら、従来の特許文献１、２のものは、いずれも、トップを構成する生地の一部を成形編機での編地変化により着圧に変化をつけていたため、緊締力を強めにくいという課題を有していた。  
【先行技術文献】
【特許文献】
【０００４】
【特許文献１】実用新案登録第３１２７１７９号
【特許文献２】特開２０１０−６５３２８
【考案の概要】
【考案が解決しようとする課題】
【０００５】
そこで、本考案は、緊締力の異なる略Ｙ字の生地をフロントとバックに配することにより、胸部中央の密着感を良くしてバストの揺れを抑え、背筋を強く意識させて姿勢を正しく保たせることができるハーフトップを提供することをその課題とするものである。
【課題を解決するための手段】
【０００６】
本考案は、上記課題を解決するものであり、着用者の胸部を被覆する前身頃と、該前身頃から脇下に連続する脇部と、該脇部より背後に連続する後身頃と、それらの下部に設けられたアンダーベルトと、着用者の肩に配置される一対の肩紐とを備えたハーフトップであって、前身頃の表側には肩紐からアンダーベルトにかけて略Ｙ字に形成されたフロント布部が設けられ、後身頃の裏側には肩紐からアンダーベルトにかけて略Ｙ字に形成されたバック布部が設けられ、該フロント布部およびバック布部は前身頃および後身頃に対して緊締力が大きく、且つ、伸長性が低いことを特徴とするハーフトップである。
【考案の効果】
【０００７】
本考案のハーフトップは、緊締力が大きく、且つ、伸長性が低い前後の略Ｙ字の布地により、胸元と背筋に他の部分に比べて高い着圧がかかる。具体的には、胸元では前身頃の外側に略Ｙ字のフロント布部を配置しているため、着用時に胸元の密着感が増して胸の揺れを抑えることができる。また、かかるフロント布部の横辺が前身頃に縫着されず独立した状態であるため、運動時の身体の可動領域が拡がり、バストの配置調整も行いやすい。他方、後身頃の裏側には略Ｙ字のバック布部を配置しているため、背筋を伸ばすよう引っ張り力が生じ、着圧を強く意識させることで、姿勢を正しく保たせ、バストアップに導くことができる。
【０００８】
本考案のハーフトップは、運動時においてより高い効果が認められるものであり、ジョギング時などにおいては、略Ｙ字のフロント布部により胸の揺れを抑えるとともに、略Ｙ字のバック布部により肩胛骨を引き寄せ、胸が軽く開いた正しいフォームを維持することができる。
【図面の簡単な説明】
【０００９】
【図１】本考案に係るハーフトップの正面図。
【図２】本考案に係るハーフトップの背面図。
【図３】本考案に係るハーフトップの斜視図。
【考案を実施するための形態】
【００１０】
以下、本考案のハーフトップの一実施態様を、図面に基づいて具体的に説明する。なお、本考案はこれら実施態様に何ら制約されるものではない。
【００１１】
図１は本考案に係るハーフトップの正面図、図２は同背面図、図３は同斜視図である。図中、１は前身頃、２は脇部、３は後身頃、４はアンダーベルト、５は肩紐、６はフロント布部、７はバック布部、１１は前身頃上辺、１２は前身頃上端部、３１は後身頃上辺、３２は後身頃横辺、４１は縫着部、４２はアンダーベルト下端部、４３は縫着部、６１はフロント布部上辺、６２はフロント布部横辺、６３はフロント布部上端部、７１はバック布部上辺、７２はバック布部横辺、７３はバック布部上端部をそれぞれ示す。
【００１２】
図に示すように、本考案にかかるハーフトップは、着用者の胸部を被覆する前身頃１と、胸部横から脇下にかけて被覆する脇部２と、背中を被覆する後身頃３と、それらの下に設けられたアンダーベルト４により着用者の胸回りを被覆するように形成されている。さらに、前身頃１の表側と後身頃３の裏側にはそれぞれ略Ｙ字に形成されたフロント布部６とバック布部７が設けられ、かかるバック布部７と前身頃１の上端に両端部が接合された肩紐５を有する。
【００１３】
以下、各部位について詳述する。まず、前身頃１は左右の乳房を被覆するように形成され、その内側には乳房部位を保持するウレタン製カップが収納される（図示せず）。前身頃１の両端部からは、胸部横から脇下へかけて脇部２が連続して設けられ、脇部２の背後側の端部からは後身頃３が背後へ連続して形成されている。そして、それら前身頃１、脇部２、後身頃３の下部には、アンダーベルト４が連続して設けられている。前身頃１の上端部１１は肩紐５の端部と接合されているが、肩紐５の他端は後身頃３に直接接合されずに、バック布部７と接合されている。
【００１４】
前身頃１の表側には、乳房の上方から胸の谷間部分にかけて略Ｙ字に形成されたフロント布部６が形成されている。かかるフロント布部６は、その上端部６３が前身頃１と上端部１２において縫着されており、その上辺６１が前身頃１の上辺１１に縫着されるとともに、その下部においてアンダーベルト４と前身頃１の縫着部４１およびアンダーベルト４の下端部４２に縫着されている。その一方で、その横辺６２は前身頃１に縫着されていない。これにより、フロント布部６は前身頃１からその上下を除いて独立した状態となっており、互いに生地の動きや伸縮を阻害しない。これにより、運動時などにおいて身体の可動領域が拡大するとともに、バストの配置の調整も容易となる。そして、上記の通りフロント布部６を前身頃１の表側に設けることにより、フロント布部６が直接肌に接することがないため、肌への刺激を軽減させることができる。
【００１５】
本実施態様のハーフトップでは、フロント布部６の丈（上辺６１からアンダーベルト４までの長さ）が前身頃１の中心部の丈（上辺１１からアンダーベルト４までの長さ）よりもやや短く形成されている。このように、フロント布部６の丈をより短く形成することで、着用時にフロント布部６に張力が働き、その結果、前身頃１の胸の谷間に対する密着度が向上し、バストの揺れを抑えることができるため好ましい。
【００１６】
図２に示すように、後身頃３は脇下から肩胛骨の内側を通り、脊柱に沿って背中中心を被覆するような略凸状に形成されている。そして、かかる後身頃３の裏側には、両肩から肩胛骨の内側を通り、脊柱に沿って背中中心を被覆するような略Ｙ字に形成されたバック布部７が形成されている。このようにバック布部７を略Ｙ字に形成することにより、肩胛骨部分が露出して肩の動きが阻害されることがない。かかるバック布部７は、その上端部７３が肩紐５に接合されており、その下部は後身頃３の裏でアンダーベルト４と後見頃３の縫着部４３およびアンダーベルト４の下端部４２に縫着されている。そして、バック布部７の上辺７１の中央部分には後身頃３の上辺３１が縫着されているが、バック布部７の横辺７２は後身頃３に対して縫着されておらず、後身頃３の横辺３２はバック布部７に対して縫着されていない。このように、後身頃３とバック布部７は上下の縫着部分を除いて互いに独立した状態となっており、運動時など、それぞれの布地の動きや伸縮を阻害しないため身体の可動領域が拡大して好ましい。さらに、バック布部７と後身頃３の重複部分は、後述のとおり２枚重ねのバック布部７が後身頃３に加わって生地が３重となることで他よりも強い緊締力が働き、背中を丸めようとすると身体の動きに抵抗して背筋を伸ばすよう縦方向に引張力が生じる。その結果、着用者は背筋を反り返して胸を張る動作を意識づけられ、バストアップを導くことができる。かかる効果は、本実施態様のようにバック布部７が後身頃３の裏側に設けられて直接肌に触れることにより、背中への着圧を意識してより促進される。
【００１７】
本考案のハーフトップにおけるフロント布部６およびバック布部７は、その他の前身頃１や後身頃３などの布地に比べ、より緊締力が大きく、さらに、より伸長性が低くなるように形成されている。具体的には、同一又は異なる種類の生地を少なくとも２枚重ねにすることにより、他の身生地よりも緊締力が大きく、かつ、伸長性が低く形成されている。かかる２枚重ねの加工は、縫着やボンディング加工を適宜採用することができるが、少なくとも、直接肌に触れるバック布部７については、接着フィルム等を用いたボンディング加工を施すことが好ましい。このように、バック布部７をボンディング処理することにより縫い目が減るため、縫い目の厚みや肌への刺激を軽減させることができる。
【００１８】
本考案にかかるハーフトップの前身頃１、脇部２、後身頃３、肩紐５は縦横に伸縮性を有する素材により形成されており、具体的には、ナイロンベア天竺、ポリエステルベア天竺、ツーウェイトリコット等を好適に使用することができる。また、フロント布部６およびバック布部７に関しては、ナイロンベア天竺、ポリエステルベア天竺、ツーウェイトリコット等を好適に使用することができ、さらに、それらの組み合わせを好適に使用することができる。また、フロント布部６の裏地にはナイロンなどにポリウレタン弾性繊維を交編して形成されるパワーネットを使用してもよい。
【符号の説明】
【００１９】
１……前身頃
２……脇部
３……後身頃
４……アンダーベルト
５……肩紐
６……フロント布部
７……バック布部
１１……前身頃上辺
１２……前身頃上端部
３１……後身頃上辺
３２……後身頃横辺
４１……縫着部
４２……アンダーベルト下端部
４３……縫着部
６１……フロント布部上辺
６２……フロント布部横辺
６３……フロント布部上端部
７１……バック布部上辺
７２……バック布部横辺
７３……バック布部上端部
【図１】
0003175705.tif 000003
【図２】
0003175705.tif 000004
【図３】
0003175705.tif 000005